【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
ユーザに対して訪問地の候補を提示する訪問候補地提示装置であって、
経路の集合を表す第１の情報であって、前記経路の移動に要する時間を示す情報を含む第１の情報を記憶する第１の記憶部と、
複数の地点を表す第２の情報であって、前記地点の位置を示す情報を少なくとも含む第２の情報を、前記ユーザからの入力に基づいて記憶する第２の記憶部と、
出発地点を特定する出発地点情報を取得する出発地情報取得部と、
前記ユーザの空き時間を示す空き時間情報の入力を前記ユーザから受け付ける入力部と、
前記第２の情報に示される複数の地点のうち、前記入力部で受け取った前記空き時間情報に示される空き時間内に、前記出発地情報取得部で取得した前記出発地点情報に示される出発地点から訪問可能な地点を、候補地点として、前記第１の情報に基づいて決定する候補地点決定部と、
前記候補地点として決定された前記地点を示す情報を、前記ユーザによって認識可能に出力する出力部と
を備える訪問候補地提示装置。
【請求項２】
請求項１に記載の訪問候補地提示装置であって、更に、前記候補地点として決定された前記地点までの経路を前記第１の情報に基づいて案内する経路案内部を備える訪問候補地提示装置。
【請求項３】
請求項１または請求項２に記載の訪問候補地提示装置であって、更に、ネットワークを通じて得られる情報に基づいて、前記第２の記憶部に記憶されている前記第２の情報を更新する手段を備える訪問候補地提示装置。
【請求項４】
ユーザに対して訪問地の候補を提示する訪問候補地提示方法であって、
（ａ）経路の集合を表す第１の情報であって、前記経路の移動に要する時間を示す情報を含む第１の情報を記憶する第１の記憶部にアクセス可能なコンピュータが、複数の地点を表す第２の情報であって、前記地点の位置を示す情報を少なくとも含む第２の情報を、第２の記憶部に格納する格納工程と、
（ｂ）前記コンピュータが、出発地点を特定する出発地点情報を取得する出発地情報取得工程と、
（ｃ）前記コンピュータが、前記ユーザの空き時間を示す空き時間情報の前記ユーザからの入力を受け付ける空き時間情報入力工程と、
（ｄ）前記コンピュータが、前記第２の情報に示される複数の地点のうち、前記空き時間情報入力工程で受け取った前記空き時間情報に示される空き時間内に、前記出発地情報取得工程で取得した前記出発地点情報に示される出発地点から訪問可能な地点を、候補地点として、前記第１の情報に基づいて決定する経路決定工程と、
（ｅ）前記コンピュータが、前記候補地点として決定された前記地点を示す情報を、前記ユーザによって認識可能に出力する出力工程と、
を備える訪問候補地提示方法。
【請求項５】
ユーザに対して訪問地の候補を提示する機能をコンピュータに実現させるためのコンピュータプログラムであって、
経路の集合を表す第１の情報であって、前記経路の移動に要する時間を示す情報を含む第１の情報を記憶する第１の記憶部にアクセスする機能と、
複数の地点を表す第２の情報であって、前記地点の位置を示す情報を少なくとも含む第２の情報を、前記ユーザからの入力に基づいて第２の記憶部に格納する格納機能と、
出発地点を特定する出発地点情報を取得する出発地情報取得機能と、
前記ユーザの空き時間を示す空き時間情報の入力を前記ユーザから受け付ける空き時間情報入力機能と、
前記第２の情報に示される複数の地点のうち、前記空き時間情報入力機能で受け取った前記空き時間情報に示される空き時間内に、前記出発地情報取得機能で取得した前記出発地点情報に示される出発地点から訪問可能な地点を、候補地点として、前記第１の情報に基づいて決定する経路決定機能と、
前記候補地点として決定された前記地点を示す情報を、前記ユーザによって認識可能に出力する出力機能と、
を実現させるためのコンピュータプログラム。
【請求項６】
ユーザに対して訪問地の候補を提示する端末装置であって、
経路の集合を表す第１の情報であって、前記経路の移動に要する時間を示す情報を含む第１の情報に基づいて経路を探索する経路探索サーバにネットワークを介して接続する通信部と、
複数の地点を表す第２の情報であって、前記地点の位置を示す情報を少なくとも含む第２の情報を、前記ユーザからの入力に基づいて記憶する記憶部と、
出発地点を特定する出発地点情報を取得する出発地情報取得部と、
前記ユーザの空き時間を示す空き時間情報の入力を前記ユーザから受け付ける入力部と、
前記通信部を通じて前記経路探索サーバに問い合わせることによって、前記第２の情報に示される複数の地点のうち、前記入力部で受け取った前記空き時間情報に示される空き時間内に、前記出発地情報取得部で取得した前記出発地点情報に示される出発地点から訪問可能な地点を、候補地点として決定する候補地点決定部と、
前記候補地点として決定された前記地点を示す情報を、前記ユーザによって認識可能に出力する出力部と
を備える端末装置。
【手続補正２】
【補正対象書類名】明細書
【補正対象項目名】発明の名称
【補正方法】変更
【補正の内容】
【発明の名称】訪問候補地提示装置、端末装置、訪問候補地提示方法、およびコンピュータプログラム
【手続補正３】
【補正対象書類名】明細書
【補正対象項目名】０００７
【補正方法】変更
【補正の内容】
【０００７】
上記目的を達成するために、本発明は、ユーザに対して訪問地の候補を提示する訪問候補地提示装置において、以下の形態または態様として実現することが可能である。
第１の形態である訪問候補地提示装置は、ユーザに対して訪問地の候補を提示する訪問候補地提示装置であって、経路の集合を表す第１の情報であって、前記経路の移動に要する時間を示す情報を含む第１の情報を記憶する第１の記憶部と、複数の地点を表す第２の情報であって、前記地点の位置を示す情報を少なくとも含む第２の情報を、前記ユーザからの入力に基づいて記憶する第２の記憶部と、出発地点を特定する出発地点情報を取得する出発地情報取得部と、前記ユーザの空き時間を示す空き時間情報の入力を前記ユーザから受け付ける入力部と、前記第２の情報に示される複数の地点のうち、前記入力部で受け取った前記空き時間情報に示される空き時間内に、前記出発地情報取得部で取得した前記出発地点情報に示される出発地点から訪問可能な地点を、候補地点として、前記第１の情報に基づいて決定する候補地点決定部と、前記候補地点として決定された前記地点を示す情報を、前記ユーザによって認識可能に出力する出力部とを備えることを特徴とする。
第２の形態である端末装置は、ユーザに対して訪問地の候補を提示する端末装置であって、経路の集合を表す第１の情報であって、前記経路の移動に要する時間を示す情報を含む第１の情報に基づいて経路を探索する経路探索サーバにネットワークを介して接続する通信部と、複数の地点を表す第２の情報であって、前記地点の位置を示す情報を少なくとも含む第２の情報を、前記ユーザからの入力に基づいて記憶する記憶部と、出発地点を特定する出発地点情報を取得する出発地情報取得部と、前記ユーザの空き時間を示す空き時間情報の入力を前記ユーザから受け付ける入力部と、前記通信部を通じて前記経路探索サーバに問い合わせることによって、前記第２の情報に示される複数の地点のうち、前記入力部で受け取った前記空き時間情報に示される空き時間内に、前記出発地情報取得部で取得した前記出発地点情報に示される出発地点から訪問可能な地点を、候補地点として決定する候補地点決定部と、前記候補地点として決定された前記地点を示す情報を、前記ユーザによって認識可能に出力する出力部とを備えることを特徴とする。
第１の態様の訪問候補地提示装置は、ユーザが移動のために利用できる経路の集合を表す経路網情報であって、前記経路の移動に要する時間に関する情報を含む経路網情報を格納する経路網情報格納部と、ユーザによってあらかじめ指定された訪問希望地点の位置を特定する希望地点情報と、前記訪問希望地点に関連する関連情報と、を複数組、格納する訪問希望地情報格納部と、出発地点を特定する出発地点情報を取得する出発地情報取得部と、ユーザが訪問希望地点の訪問のために使用できる空き時間に関する空き時間情報を受け取る入力部と、前記経路網情報を参照しつつ、前記出発地点情報と前記希望地点情報とに基づいて、前記出発地点から前記訪問希望地点に至る訪問経路と、前記訪問経路にしたがって前記訪問希望地点を訪問するのに要する所要時間と、を決定し、前記空き時間情報と前記所要時間とに基づいて、前記空き時間内に訪問できる訪問希望地点である候補地点を決定する候補地点決定部と、前記候補地点の前記希望地点情報と前記関連情報に基づいて前記候補地点に関する情報を出力する出力部と、を備える。